(57)【要約】【課題】詰め替えにより容器体及び周囲を液により汚す虞がなく、しかも、液の詰め替えを容易に行なえるとともに、取り扱いが便利である液体吐出器を提案する。【解決手段】容器体Ａ内部へシリンダＢ１を垂下させた状態で、その口頸部１２を閉塞して容器体ＡにポンプＢを着脱可能に装着するとともに、シリンダＢ１下端より容器体内底部へディップチューブＢ３を垂設し、且つ、ポンプＢの作動により容器体内の液体を吐出する如く構成した液体吐出器であって、口頸部１２とシリンダとの間を閉塞して口頸部１２に嵌着し、先端部をシリンダ外周に摺動可能に嵌合させた扱き部材Ｃを設けるとともに、ディップチューブＢ３の外周下端部に係止面ｆ１を突設し、ポンプＢの取り外しに当たり、扱き部材Ｃの先端部がシリンダＢ１外周及びディップチューブＢ３外周を摺動した後係止面ｆ１に当接し、係止面ｆ１の押し上げにより扱き部材Ｃの取り外しが可能に構成した。【選択図】図１
2014069835.tif 000002
【特許請求の範囲】
【請求項１】
容器体（Ａ）内部へシリンダ（Ｂ１）を垂下させた状態で、その口頸部（１２）を閉塞して容器体（Ａ）にポンプ（Ｂ）を着脱可能に装着するとともに、シリンダ（Ｂ１）下端より容器体（Ａ）内底部へディップチューブ（Ｂ３）を垂設し、且つ、ポンプ（Ｂ）の作動により容器体（Ａ）内の液体を吐出する如く構成した液体吐出器であって、口頸部（１２）とシリンダ（Ｂ１）との間を閉塞して口頸部（１２）に嵌着し、先端部をシリンダ（Ｂ１）外周に摺動可能に嵌合させた扱き部材（Ｃ）を設けるとともに、ディップチューブ（Ｂ３）の外周下端部に係止面（ｆ１）を突設し、ポンプ（Ｂ）の取り外しに当たり、扱き部材（Ｃ）の先端部がシリンダ（Ｂ１）外周及びディップチューブ（Ｂ３）外周を摺動した後係止面（ｆ１）に当接し、係止面（ｆ１）の押し上げにより扱き部材（Ｃ）の取り外しが可能に構成したことを特徴とする液体吐出器。
【請求項２】
扱き部材（Ｃ）は、口頸部（１２）上面に当接嵌合するフランジ（６０ａ）の内周縁より口頸部（１２）内周上部に嵌合する嵌合筒（６０ｂ）を延設した装着部（６０）と、装着部（６０）下端縁より下方へ漸次縮径した弾性壁（６３）と、弾性壁（６３）の下端縁より延設してシリンダ（Ｂ１）外周に摺動可能な摺動筒（６４）とを備えている請求項１に記載の液体吐出器。
【請求項３】
扱き部材（Ｃ）の弾性壁（６３）に容器体（Ａ）内へ外気を導入する透孔（６５）を設けた請求項２に記載の液体吐出器。
【請求項４】
ポンプ（Ｂ）は、口頸部（１２）外周に装着キャップ（Ｂ２）を嵌合させることにより、容器体（Ａ）内部へシリンダ（Ｂ１）を垂下させた状態で、容器体（Ａ）に着脱可能に装着させ、シリンダ（Ｂ１）内より突設したステム（５１）の上端に吐出ヘッド（５２）を嵌着して上方付勢状態で上下動可能に装着した作動部材（Ｂ４）を備え、作動部材（Ｂ４）の上下動により容器体（Ａ）内の液を吐出ヘッド（５２）の吐出口（５４）より吐出する如く構成するとともに、押し下げ状態での作動部材（Ｂ４）の係止が可能に構成した請求項１乃至請求項３のいずれか１項に記載の液体吐出器。
【請求項５】
吐出ヘッド（５２）の頂部に安定載置が可能な載置面（ｆ２）を備え、取り外したポンプ（Ｂ）の倒立載置が可能に構成した請求項４に記載の液体吐出器。
【発明の詳細な説明】
【技術分野】
【０００１】
本発明は液体吐出器に関し、詳しくは、ポンプの付着液で周囲を汚すことなく液の詰め替えを行える液体吐出器に関する。
【背景技術】
【０００２】
液体吐出器として、容器体の口頸部にポンプを装着したものが一般に知られている。これらは種々の形態が提案されているが、廃棄物の量にその処理が対応しきれない現状に鑑みて、近年では廃棄物の量をできるだけ減少させる工夫がなされており、その結果、収納液を使い切った後に液だけを詰め替える如く構成した液体吐出器が種々提案されている（例えば、特許文献１及び特許文献２参照）。
【０００３】
前者は注出器と容器からなる液体注出容器の詰め替え容器であって、胴部と注出口部からなる自立容器であり、この自立容器は注出口部が注出器と嵌合して内容物を密封できる構造であることを特徴とするものであり、液体注出容器の内容物が消費されてなくなったときは注出器と容器の螺子を弛めて注出器を取り外し、次に新しい詰め替え容器のキャップを取り除き、この容器に注出器の吸い上げ管を挿入して注出器と容器をセットし、更に、注出器と容器を螺子締めして一体化し、容器に入っている内容物を密封する。これで内容物の詰め替えは終了し、注出器の押し下げヘッドを押すことによって内容物を排出することができる。
【０００４】
また後者は外周にボトルの口頸部に嵌合して装着するキャップを回転自在に枢着し下方に汲み上げチューブをもつディスペンサーであって、汲み上げチューブに、装着リングの外周面に鉤の手状の係止部を突設する係止部材を挿着して取り付けたことを特徴とするもので、新しい内容物を詰め替え用容器から移しかえるときに、まず、ディスペンサーのキャップを回転させてディスペンサーをボトル口頸部から取り外し、次に、ディスペンサーを上方へ引き上げ、係止部材の鉤の手状の係止部をボトル口部の片側にディスペンサーが寄せられて係止することができ、この際、ボトル口部の他方側は大きく開口している。
【先行技術文献】
【特許文献】
【０００５】
【特許文献１】特開平１０−２９６５５号公報
【特許文献２】特開２０００−２８９７６６号公報
【発明の概要】
【発明が解決しようとする課題】
【０００６】
上記従来の液体吐出器のうち前者は、詰め替え容器としてカートリッジ式の容器を使用しているため、内容物の詰め替えを極めて簡単に行うことができる便利なものであるが、使用済みの容器からポンプを外して詰め替え容器に装着するまでの間にポンプの吸い上げパイプ等に付着した液が垂れてあたりを汚す虞がある。
【０００７】
また、後者も同様に内容物を詰め替え用容器から移し替えるときに詰め替え操作が容易であり、ポンプをボトルから引き抜く必要がないので、容器外のところをポンプに付着する内容物で汚すことがない優れたものであるが、液詰め替えの際に係止部の付着液が口頸部に付着し、それが容器外方に垂れ落ちる等の不都合を生じる虞がある。即ち、詰め替えの際は収納液は容器体内に殆ど残っていない状態であるため、直接係止部に接触していないが、液が充満した最初の状態では係止部は液中に浸漬しているため液が減少しても係止部に付着液が残存する。特に液が粘度の高いものの場合にはその確率が大きく、これらの付着液が上記した如く口頸部に付着する可能性が高い。
【０００８】
本発明は上記した点に鑑みてなされたもので、詰め替えにより容器体及び周囲を液により汚す虞がなく、しかも、液の詰め替えを容易に行なえるとともに、取り扱いが便利である液体吐出器を提案する。
【課題を解決するための手段】
【０００９】
第１の手段として、以下の通り構成した。即ち、容器体Ａ内部へシリンダＢ１を垂下させた状態で、その口頸部１２を閉塞して容器体ＡにポンプＢを着脱可能に装着するとともに、シリンダＢ１下端より容器体Ａ内底部へディップチューブＢ３を垂設し、且つ、ポンプＢの作動により容器体Ａ内の液体を吐出する如く構成した液体吐出器であって、口頸部１２とシリンダＢ１との間を閉塞して口頸部１２に嵌着し、先端部をシリンダＢ１外周に摺動可能に嵌合させた扱き部材Ｃを設けるとともに、ディップチューブＢ３の外周下端部に係止面ｆ１を突設し、ポンプＢの取り外しに当たり、扱き部材Ｃの先端部がシリンダＢ１外周及びディップチューブＢ３外周を摺動した後係止面ｆ１に当接し、係止面ｆ１の押し上げにより扱き部材Ｃの取り外しが可能に構成した。
【００１０】
第２の手段として、以下の通り構成した。即ち、前記第１の手段に於いて、扱き部材Ｃは、口頸部１２上面に当接嵌合するフランジ６０ａの内周縁より口頸部１２内周上部に嵌合する嵌合筒６０ｂを延設した装着部６０と、装着部６０下端縁より下方へ漸次縮径した弾性壁６３と、弾性壁６３の下端縁より延設してシリンダＢ１外周に摺動可能な摺動筒６４とを備えている。
【００１１】
第３の手段として、以下の通り構成した。即ち、前記第２の手段に於いて、扱き部材Ｃの弾性壁６３に容器体Ａ内へ外気を導入する透孔６５を設けた。
【００１２】
第４の手段として、以下の通り構成した。即ち、前記第１の手段乃至第３の手段のいずれかの手段に於いて、ポンプＢは、口頸部１２外周に装着キャップＢ２を嵌合させることにより、容器体Ａ内部へシリンダＢ１を垂下させた状態で、容器体Ａに着脱可能に装着させ、シリンダＢ１内より突設したステム５１の上端に吐出ヘッド５２を嵌着して上方付勢状態で上下動可能に装着した作動部材Ｂ４を備え、作動部材Ｂ４の上下動により容器体Ａ内の液を吐出ヘッド５２の吐出口５４より吐出する如く構成するとともに、押し下げ状態での作動部材Ｂ４の係止が可能に構成した。
【００１３】
第５の手段として、以下の通り構成した。即ち、前記第４の手段に於いて、吐出ヘッド５２の頂部に安定載置が可能な載置面ｆ２を備え、作動部材Ｂ４の押し下げ係止状態で、取り外したポンプＢの倒立載置が可能に構成した。
【発明の効果】
【００１４】
本発明によれば、容器体Ａ内の液を使い切った際の液の詰め替え時に、容器体Ａ及び周囲を液により汚す虞がなく、しかも、液の詰め替えを容易に行なえるという特徴がある。即ち、装着した扱き部材ＣはポンプＢの引き上げに対してシリンダＢ１及びディップチューブに付着した液を削ぎ落とした後にポンプＢとともに取り外されるため、容器体Ａ及び周囲を付着液で汚す虞がなく、しかも、液の詰め替えの際に口頸部１２は最大限の大きさを確保できて液の詰め替えを容易に行なえ、その取り外し操作も容易である。
【００１５】
扱き部材Ｃは、口頸部１２上面に当接嵌合するフランジ６０ａの内周縁より口頸部１２内周上部に嵌合する嵌合筒６０ｂを延設した装着部６０と、装着部６０下端縁より下方へ漸次縮径した弾性壁６３と、弾性壁６３の下端縁より延設してシリンダＢ１外周に摺動可能な摺動筒６４とを備えている場合には、液の詰め替えの際に、フランジ６０ａの存在で、ポンプＢとともに取り外した扱き部材Ｃを口頸部１２の所定位置に容易に装着することができるという特徴があり、また、摺動筒６４の存在で、シリンダＢ１外周及びディップチューブＢ３外周の付着液のより確実な削ぎ落としが可能であり、更に、摺動筒６４の存在で、係止面ｆ１の押し上げをより安定的に行なえるという特徴がある。
【００１６】
扱き部材Ｃの弾性壁６３に容器体Ａ内へ外気を導入する透孔６５を設けた場合には、液の減少に伴い減圧する容器体Ａ内への外気の導入が可能となり、減圧により容器体Ａが変形する等を防止できる。
【００１７】
吐出ヘッド５２の頂部に安定載置が可能な載置面ｆ２を備え、取り外したポンプＢの倒立載置が可能に構成した場合には、取り外したポンプＢを邪魔なスペースをとらずに倒立させておくことができ、液が付着していたシリンダＢ１及びディップチューブＢ３を周囲に接触させずに倒立させておくことができる利点がある。
【図面の簡単な説明】
【００１８】
【図１】液体吐出器の要部切欠き側面図である。（第１実施例）
【図２】扱き部材の斜視図である。（第１実施例）
【図３】ポンプ上端部の要部斜視図である。（第１実施例）
【図４】作用を説明する説明図である。（第１実施例）
【図５】ポンプ上端部の要部側面図である。（第２実施例）
【図６】液体吐出容器の要部切欠き側面図である。（第３実施例）
【発明を実施するための形態】
【００１９】
以下、本発明の形態を図面を参照して説明する。
【００２０】
図１乃至図４は本発明の第１実施例を示し、液体吐出器１は、容器体Ａと、ポンプＢと、扱き部材Ｃとを備えている。尚、説明の便宜上、図１に於ける左方を前部、右方を後部とし、手前を右部、奥側を左部として説明する。
【００２１】
容器体Ａは合成樹脂等により形成されたもので、筒状の胴部１０上端より肩部１１を介して口頸部１２を起立して構成している。
【００２２】
ポンプＢも合成樹脂等により形成される。第１実施例では、ポンプＢは、シリンダＢ１と、装着キャップＢ２と、ディップチューブＢ３と、作動部材Ｂ４とを備えている。
【００２３】
シリンダＢ１は合成樹脂等により形成され、上下端を開口した筒状をなし、筒壁２０の外周上部にフランジ２１を突設している。シリンダＢ１の筒壁２０外周は扱き部材Ｃの先端部を摺動させるため、径の変化が少ないものが好ましく、また、筒壁２０は垂直であるものが好ましい。特に、扱き部材Ｃの先端部を摺動させる範囲では、少なくとも、径の変化が少ないものが好ましいが、多少の径の変化も扱き部材Ｃの弾力性により対応できる如く構成している。第１実施例では、筒壁２０の下端部外周は小径部２０ａに形成され、小径部２０ａの外面には周方向複数の案内突部２２を突設している。案内突部２２は小径部２０ａ上方の大径の筒壁２０外面と同一外面となる突出幅を有し、下端部外面を案内用の湾曲面に形成している。従って、筒壁２０外周の若干の径の変化があるものではあるが、案内筒部２２の存在で扱き部材Ｃの摺動の円滑性を補正している。尚、筒壁２０の上部所定位置には外気導入孔２２を穿設しており、外部と、容器体Ａ内とを、筒壁２０内周面と、作動部材Ｂ４の後述するステム５１外周面との間、外気導入孔２２を介して連通させている。また、シリンダＢ１内下端部には図示しないが吸込み弁を設けている。
【００２４】
装着キャップＢ２は、口頸部１２外周に嵌合させることにより容器体ＡにポンプＢを着脱可能に装着するもので、第１実施例では、ジョイントキャップＢ２ａと、主キャップＢ２ｂと、から構成している。
【００２５】
ジョイントキャップＢ２ａは、シリンダＢ１の外周上端部に嵌合させた嵌合筒３０を環状の頂板３１より垂設し、また、頂板３１の外周縁より、下部をフランジ部３２ａを介して拡径した外周壁３２を、その下端がシリンダＢ１のフランジ２１と間隔をあけて垂下している。更に、外周壁３２の上部の小径部分外周に、後述する吐出ヘッド５２を螺着させる螺条を設けている。また、頂板３１の内周縁部より、二重筒状で、中間部を周方向複数のリブ３３ａで連結した内周壁３３を垂設しており、この内周壁３３をシリンダＢ１内周上端部に嵌着している。
【００２６】
主キャップＢ２ｂは、シリンダＢ１のフランジ２１上面とジョイントキャップＢ２ａの外周壁３２下面との間に回動可能に嵌合させたフランジ状頂壁３５の外周縁より、容器体口頸部１２外周に螺着させる周壁３６を垂設して構成している。尚、装着キャップは第１実施例のものに限らず、要は、容器体Ａ内部へシリンダＢ１垂下させた状態でその口頸部１２を閉塞して容器体ＡにポンプＢを着脱可能に装着する形態であれば良い。
【００２７】
ディップチューブＢ３は合成樹脂等により形成でき、シリンダＢ１下端より容器体Ａ内底部へ垂設したもので、ディップチューブＢ３は、扱き部材Ｃの先端部を摺動させるために、シリンダＢ１の外径と同外径かあまり相違しない外径を備えたもので、真っ直ぐなものが好ましく、第１実施例では、シリンダＢ１の下端部内に嵌合させた嵌合部分を除いて、露出部分はシリンダＢ１の小径部２０ａ外径と同外径の外周面を備えて垂直に垂設している。また、ディップチューブＢ３の外周下端部には係止面ｆ１を突設している。この係止面ｆ１は扱き部材Ｃの下端を当接係止して扱き部材Ｃを押し上げるためのもので、第１実施例では、ディップチューブＢ３の外周下端部に突設したフランジ状の係止板４０の上面を係止面ｆ１としている。係止板４０の下面を、周方向複数突設した三角板状の支持板４１で支持している。尚、係止面ｆ１は第１実施例のものに限らず、ディップチューブＢ３の外周下端部に突設し、扱き部材Ｃの下端部に当接係止して扱き部材Ｃの押し上げが可能であれば良く、例えば、ディップチューブＢ３の外周に周方向複数突設した、上面が水平面をなす板状突部の各上面を係止面とすることも可能である。
【００２８】
作動部材Ｂ４は合成樹脂等により形成されたもので、第１実施例では、シリンダＢ１を摺動するピストン５０を外周下端部より突設し、上端を装着キャップＢ２上方へ突設したステム５１を備え、ステム５１の上端に吐出ヘッド５２を嵌着している。吐出ヘッド５２は、ステム５１内と内部を連通するノズル５３を前面に突設し、ノズル５３の先端に吐出口５４を開口している。この作動部材Ｂ４はコイルスプリングｓにより上方付勢されており、コイルスプリングｓの弾発力に抗しての押し下げ、押し下げ状態からコイルスプリングｓの弾発力により上昇が可能に構成している。尚、この作動部材Ｂ４の具体的構成は、シリンダＢ１内より突設したステム５１の上端に吐出ヘッド５２を嵌着して上方付勢状態で上下動可能に装着したものであれば種々採用できる。
【００２９】
また、吐出ヘッド５２は押し下げ状態で係止可能に構成しており、即ち、作動部材Ｂ４の押し下げ状態で係止可能に構成している。第１実施例では、ジョイントキャップＢ２ａの外周壁３２に、吐出ヘッド５２の周壁５５内面を螺着させることで、作動部材Ｂ４を押し下げた状態で装着キャップＢ２に対して係止可能に構成している。この際、吐出ヘッド５２の周壁５５下面は外周壁のフランジ部３２ａに下面を当接係止される。
【００３０】
更に、吐出ヘッド５２の頂部に安定載置が可能な載置面ｆ２を備えており、取り外したポンプＢの倒立載置が可能に構成している。第１実施例では、図３に示す如く、吐出ヘッド５２の上面を水平面に形成して倒立載置が可能な載置面ｆ２として構成している。この安定載置が可能な載置面ｆ２としては、本例のものに限らず、例えば、吐出ヘッド５２の頂面周縁部を環状の平面に形成することも可能である。また、取り外したポンプＢは作動部材Ｂ４が上方付勢されたそのままの状態で倒立させることが可能であり、また、作動部材Ｂを押し下げ係止した状態で、倒立させることも可能である。尚、吐出ヘッドに安定載置が可能な載置面ｆ２がなく、倒立載置が不能な場合も本発明は包含し、例えば、図５に第２実施例として示す如き吐出ヘッド５２の上面が湾曲面をなすものであってもよい。第２実施例の構成は、この部分以外は第１実施例と同様である。
【００３１】
そして、作動部材Ｂ４の上下動により容器体Ａ内の液を、ディップチューブＢ３を介してシリンダＢ１内に吸い上げ、また、シリンダＢ１内に吸い上げた液を作動部材Ｂ４内を介して吐出口５４より吐出する如く構成しており、その際、図示しない吸込み弁や吐出弁等の内部の公知のポンプ機構が作用する。
【００３２】
扱き部材Ｃは、合成樹脂或いはエラストマー等の弾力性を備えた材質で形成され、口頸部１２とシリンダＢ１との間を閉塞して口頸部１２に嵌着し、先端部をシリンダＢ１外周に摺動可能に嵌合させたもので、第１実施例では、口頸部１２上面に当接嵌合するフランジ６０ａの内周縁より口頸部１２内周上部に嵌合する嵌合筒６０ｂを延設した装着部６０と、装着部６０下端縁より下方へ漸次縮径した弾性壁６３と、弾性壁６３の下端縁より延設してシリンダＢ１外周に摺動可能な摺動筒６４とを備えている。摺動筒６４は、シリンダＢ１外周に圧接されており、ポンプＢを取り外す際には、シリンダＢ１外周からやや小径のディップチューブＢ３外周にも縮径して圧接する如く構成されている。
【００３３】
また、弾性壁６３には透孔６５を穿設しており、液の減少による容器体Ａ上部の減圧時に、シリンダＢ１の外気導入孔２３を介して導入された外気を、この透孔６５を介して容器体Ａ内に導入する役割を果たす。従って、この場合は扱き部材ＣのシリンダＢ１外周への圧接位置はシリンダＢ１の外気導入孔２３より下方に位置する必要がある。また、図６に第３実施例と示す如く、弾性壁６３に透孔を設けていない場合には、扱き部材ＣのシリンダＢ１外周への圧接位置はシリンダＢ１の外気導入孔２３より上方に位置する必要がある。第３実施例では、扱き部材Ｃが、口頸部１２上面に当接嵌合するフランジ６０ａ形態をなす装着部６０を備え、装着部６０内周縁より直接、下方へ漸次縮径した弾性壁６３を延設し、弾性壁６３の下端縁より摺動筒６４を延設しており、弾性壁６３の上端外周を口頸部１２内周上端部に圧接している。その他の構成は第１実施例と同様である。
【００３４】
上記の如く構成した液体吐出器１は、液の詰め替えに当たり、ポンプＢを取り外すが、このポンプＢの取り外しに当たり、例えば、装着キャップＢ２の主キャップＢ２ｂを螺脱してポンプＢを引き上げると、図４（ａ）に示す如く、扱き部材Ｃの先端部の摺動筒６４がシリンダＢ１外周を摺動してそこに付着した液を削ぎ落とし、次いで、各案内突部２２外周から湾曲面を介してディップチューブＢ３外周を摺動してそこに付着した液を削ぎ落とし、図４（ｂ）に示す如く、扱き部材Ｃの下端部である摺動筒６４の下面が係止面ｆ１に当接し、次いで、更にポンプＢを引き上げると、図４（ｃ）に示す如く、係止面ｆ１の押し上げにより扱き部材Ｃが口頸部１２から外れ、ポンプＢと一緒に外れる。取り外した扱き部材Ｃ付きのポンプＢは、図４（ｄ）に示す如く、倒立状態で載置しておくことができる。
【００３５】
次いで、詰め替え用の容器（図示せず）から口頸部１２内へ詰め替え液を注入した後、扱き部材Ｃ及びポンプＢを再び容器体Ａに装着して詰め替えを終了する。扱き部材Ｃの装着は、例えば、扱き部材Ｃが係止されたディップチューブＢ３の先端を口頸部１２より挿入し、同時にフランジ６０を押し込むことで、扱き部材Ｃを口頸部１２に嵌着し、更にシリンダＢ１を押し込み挿入した後、主キャップＢ２ｂを口頸部に螺着することで装着することで、簡単に装着することができる。
【符号の説明】
【００３６】
１：液体吐出器
Ａ：容器体
１０…胴部、１１…肩部、１２…口頸部
Ｂ：ポンプ
Ｂ１：シリンダ
２０…筒壁、２０ａ…小径部、２１…フランジ゛２２…案内突部、
２３…外気導入孔
Ｂ２：装着キャップ
Ｂ２ａ：ジョイントキャップ
３０…嵌合筒、３１…頂板、３２…外周壁、３２ａ…フランジ部、３３…内周壁、
３３ａ…リブ
Ｂ２ｂ：主キャップ
３５…フランジ状頂壁、３６…周壁
Ｂ３：ディップチューブ
４０…係止板、４１…支持板、ｆ１…係止面
Ｂ４：作動部材
５０…ピストン、５１…ステム、５２…吐出ヘッド、５３…ノズル、５４…吐出口、
５５…周壁、ｆ２…載置面
Ｃ：扱き部材
６０…装着部、６０ａ…フランジ、６０ｂ…嵌合筒、６３…弾性壁、６４…摺動筒、
６５…透孔
ｓ：コイルスプリング
【図１】
2014069835.tif 000003
【図２】
2014069835.tif 000004
【図３】
2014069835.tif 000005
【図４】
2014069835.tif 000006
【図５】
2014069835.tif 000007
【図６】
2014069835.tif 000008